(57)【要約】  注射器はシリンジ（１２）を備えており、当該シリンジは、シリンジ長手軸（Ｌ）方向に延在する軸方向の内部凹部（１４）を備え、当該内部凹部においてピストン（１６）が軸方向に移動可能にガイドされ、当該ピストンは、内部凹部（１４）を半径方向に画定する内壁（１４ａ）の部分とともに、流体受容体積を限定するのに利用され、かつ注射器は針（２４）を有しており、当該針はシリンジ（１２）の長手方向端（１２ａ）で、シリンジ（１２）と接続可能あるいは接続されており、針（２４）はシリンジ近傍の長手方向端（２４ａ）に連結形状（２８）を備え、当該連結形状によって針（２４）は、シリンジ（１２）の対応連結形状（３０）と接続可能であり、連結形状（２８）と対応連結形状（３０）とから成る形状が挿入部（３２）を備え、当該挿入部は注射器（１０）が組み立てられた状態でそのつど別の形状の連結用凹部（３４）に受容されており、注射器（１０）が組立てられた状態で連結用凹部（３４）から挿入部（３２）が引き抜き移動するのを防ぐ安全手段（４６）がさらに備わっている。
2010539499.tif 000002
【特許請求の範囲】
【請求項１】
注射器であって、シリンジ（１２；１１２；２１２）を有しており、該シリンジは、シリンジ長手軸（Ｌ）方向に延在する軸方向の内部凹部（１４；１１４；２１４）を備え、該内部凹部においてピストン（１６）が軸方向に移動可能にガイドされ、該ピストンは、前記内部凹部（１４）を半径方向に画定する内壁（１４ａ）の部分とともに、流体受容体積を限定するのに利用され、かつ注射器は針（２４）を有しており、該針は前記シリンジ（１２；１１２；２１２）の長手方向端（１２ａ；１１２ａ；２１２ａ）で、前記シリンジ（１２；１１２；２１２）と接続可能あるいは接続されている、注射器において、
前記針（２４；１２４；２２４）はシリンジ近傍の長手方向端（２４ａ；１２４ａ；２２４ａ）に連結形状（２８；１２８；２２８）を備え、該連結形状によって前記針（２４；１２４；２２４）は、前記シリンジ（１２；１１２；２１２）の対応連結形状（３０；１３０；２３０）と接続可能であり、前記連結形状（２８；１２８；２２８）と前記対応連結形状（３０；１３０；２３０）とから成る形状が挿入部（３２；１３２；２３２）を備え、該挿入部は前記注射器（１０；１１０；２１０）が組み立てられた状態でそのつど別の形状の連結用凹部（３４；１３４；２３４）に受容されており、前記注射器（１０；１１０；２１０）が組立てられた状態で前記連結用凹部（３４；１３４；２３４）から前記挿入部（３２；１３２；２３２）が引き抜き移動するのを防ぐ安全手段（４６，５０；１４６，１５０；２４６，２５０）がさらに備わっていることを特徴とする注射器。
【請求項２】
前記安全手段（４６，５０；１４６，１５０；２４６，２５０）が、軸方向での操作によって移動可能な軸方向調節部材（５０；１５０；２５０）を備えていることを特徴とする請求項１に記載の注射器。
【請求項３】
前記安全手段（４６，５０；１４６，１５０；２４６，２５０）は応力形状（６０；１６０；２６０）を備えており、該応力形状は前記注射器（１０；１１０；２１０）が組み立てられた状態で、前記針（２４）に配設された応力対応形状（３８；１３８；２３８）と係合することを特徴とする請求項１あるいは２に記載の注射器。
【請求項４】
第１テーパ部（３８；１３８；２３８）であって、該テーパ部を支える形状の開放された長手方向端に向かって先細になっており、かつ前記注射器（１０；１１０；２１０）が組み立てられた状態で少なくとも部分的に、そのつど別の形状の受容凹部（６０；１６０；２６０）に挿入されている第１テーパ部（３８；１３８；２３８）を、応力形状（６０；１６０；２６０）と応力対応形状（３８；１３８；２３８）とから成る形状が備えており、かつ第１拡張部であって、該拡張部を支える形状の開放された長手方向端に向かって拡張する第１拡張部を、前記受容凹部（６０；１６０；２６０）が備えており、前記注射器（１０；１１０；２１０）が組み立てられた状態で前記テーパ部（３８；１３８；２３８）が、少なくとも前記シリンジ長手軸（Ｌ）を中心とした周線に沿って線状に、特に好ましくは周接触面に沿って広範囲に前記拡張部に当接するよう、好適には軸方向の前記第１テーパ部（３８；１３８；２３８）のテーパ延在と、軸方向の前記第１拡張部の拡張延在とが、実質的に互いに適合することを特徴とする請求項３に記載の注射器。
【請求項５】
前記第１テーパ部（３８；１３８；２３８）が円錐部を備え、好適には前記受容凹部が円錐形の凹部（６０；１６０；２６０）を備えていることを特徴とする請求項４に記載の注射器。
【請求項６】
前記応力形状（６０；１６０；２６０）が、一体的に前記軸方向調節部材（５０；１５０；２５０）に形成されていることを特徴とする請求項２に従属した請求項４あるいは５に記載の注射器。
【請求項７】
前記応力形状（６０；１６０；２６０）が、前記軸方向調節部材（５０；１５０；２５０）とは別に設けられた、該軸方向調節部材（５０；１５０；２５０）によって軸方向に移動可能な応力部材（５８；１５８；２５８）に形成されていることを特徴とする請求項２に従属した請求項４あるいは５に記載の注射器。
【請求項８】
前記針（２２４）とともに動くための、前記応力形状（６０；１６０；２６０）を備える部材（５８；１５８）が形成されていることを特徴とする請求項６あるいは７に記載の注射器。
【請求項９】
前記針（２２４）とともに動くための前記軸方向調節部材（５０；１５０；２５０）が形成されていることを特徴とする請求項２に従属した請求項２から８のいずれか一項に記載の注射器。
【請求項１０】
前記軸方向調節部材（５０；１５０；２５０）が、軸方向に動くためのガイド部材（４６；１４６；２４６）に接してガイドされていることを特徴とする請求項２に従属した請求項２から９のいずれか一項に記載の注射器。
【請求項１１】
前記ガイド部材（４６；１４６；２４６）は、前記シリンジ（１２；１１２；２１２）、特に針近傍のシリンジの長手方向端（１２ａ；１１２ａ；２１２ａ）に設けられたスリーブを備えていることを特徴とする請求項１０に記載の注射器。
【請求項１２】
前記ガイド部材（４６；１４６；２４６）特に前記スリーブは、加圧しておよび／あるいは貼着して前記シリンジ（１２；１１２；２１２）と接合されていることを特徴とする請求項１０あるいは１１に記載の注射器。
【請求項１３】
前記ガイド部材（４６；１４６；２４６）特に前記スリーブがねじ（４８；１４８；２４８）、好適には雌ねじ（４８；１４８；２４８）を備え、かつ前記軸方向調節部材（５０；１５０；２５０）が、前記ねじ（４８；１４８；２４８）と係合しているあるいは係合可能なカウンターねじ（５２；１５２；２５２）、好適には雄ねじ（５２；１５２；２５２）を有するボルト（５０；１５０；２５０）を備えていることを特徴とする請求項１０から１２のいずれか一項に記載の注射器。
【請求項１４】
前記連結形状（２８；１２８；２２８）が別個の連結部材（３６；１３６；２３６）に備わっていることを特徴とする請求項１から１３のいずれか一項に記載の注射器。
【請求項１５】
前記連結部材（３６；１３６；２３６）は、前記シリンジ（１２；１１２；２１２）の対応当接面（４２；１４２；２４２）に当接するための突起部（４０；１４０；２４０）、好適には半径方向突起部（４０；１４０；２４０）を備えていることを特徴とする請求項１４に記載の注射器。
【請求項１６】
前記連結部材（３６；１３６；２３６）が、弾力性のある材質で作られていることを特徴とする請求項１４あるいは１５に記載の注射器。
【請求項１７】
第２テーパ部であって、該テーパ部を支える形状の開放された長手方向端に向かって先細になっており、かつ前記注射器（１０；１１０；２１０）が組み立てられた状態で少なくとも部分的に、そのつど別の形状の前記連結用凹部（３４；１３４；２３４）に挿入されている第２テーパ部を前記挿入部（３２；１３２；２３２）が備えており、かつ第２拡張部であって、該拡張部を支える形状の開放された長手方向端に向かって拡張する第２拡張部を前記連結用凹部（３４；１３４；２３４）が備えており、前記注射器（１０；１１０；２１０）が組み立てられた状態で前記第２テーパ部が、少なくとも前記シリンジ長手軸（Ｌ）を中心とした周線に沿って線状に、特に好ましくは周接触面に沿って広範囲に前記第２拡張部に当接するよう、好適には軸方向の前記第２テーパ部のテーパ延在と、軸方向の前記第２拡張部の拡張延在とが、実質的に互いに適合することを特徴とする請求項１から１６のいずれか一項に記載の注射器。
【請求項１８】
前記挿入部（３２；１３２；２３２）が円錐部を備え、好適には前記連結用凹部（３４；１３４；２３４）が円錐形の凹部を備えていることを特徴とする請求項１７に記載の注射器。
【請求項１９】
前記挿入部（１３２）が、前記注射器（１１０）が組み立てられた状態で前記シリンジ（１１２）の対応面（１６６）に密着して当接する、半径方向の延伸コンポーネントを有する端部面（１６４）を備えていることを特徴とする請求項１から１８のいずれか一項に記載の注射器。
【請求項２０】
前記注射器（１０）の使用中に、該注射器（１０）によって採取されるべきおよび／あるいは注入されるべき流体と接触する、前記注射器（１０）の面（１４ａ；１６ａ）の少なくとも一部、好適にはすべての面にコーティングが施されていることを特徴とする請求項１から１９のいずれか一項に記載の注射器。
【請求項２１】
前記コーティングは、水晶あるいはガラスのコーティングであることを特徴とする請求項２０に記載の注射器。
【請求項２２】
前記針（２４；１２４；２２４）の表面、特に内側表面および／あるいは外側表面にコーティングが施され、特にナノテクノロジーのプロセスによって塗布されていることを特徴とする請求項２０または２１に記載の注射器。
【発明の詳細な説明】
【技術分野】
【０００１】
本発明は、クロマトグラフィーなどにおいてサンプル処理をするために用いられるような注射器に関する。そのような注射器はシリンジを備えており、当該シリンジは、シリンジ長手軸方向に延在する軸方向の内部凹部を有し、当該内部凹部においてピストンが軸方向に移動可能にガイドされる。当該ピストンは、内部凹部を半径方向に画定する内壁の部分とともに、流体受容体積を限定するのに利用される。シリンジ長手軸はその際、原則的に軸方向を特定する。これと直交する方向は、本発明の意味においては、半径方向である。
【０００２】
さらにそのような注射器は、シリンジの長手方向端で、シリンジと接続可能あるいは接続されている針を備える。
【背景技術】
【０００３】
医療分野では、針がシリンジ近傍の長手方向端に連結形状を備え、当該連結形状によって針は、シリンジの対応連結形状と接続可能な注射器が、原則的に知られている。このとき、従来技術から知られている医療用注射器では、対応連結形状は、注射器が組み立てられた状態で連結形状の連結用凹部に受容されている挿入部を備えている。
【０００４】
医療分野で知られている、針とシリンジとの連結は、ラボの領域での応用には不充分である。当該連結は、強度ととりわけ密閉度とに対する必要な要求を満たしておらず、その結果注射器によって採取され注入されるべき流体の純度は、充分な程度で保証されていない。
【発明の概要】
【発明が解決しようとする課題】
【０００５】
それゆえ本発明の課題は、従来技術から知られている注射器を、上述の欠点を克服するよう改良することである。
【課題を解決するための手段】
【０００６】
本発明に従えば、この課題は、注射器が組立てられた状態で連結用凹部から挿入部が引き抜き移動するのを防ぐ安全手段が備わっている、冒頭で挙げられたような注射器によって解決される。
【０００７】
備えられている安全手段によって、もはや針をシリンジから分離することができず、その結果針はシリンジにしっかりと連結される。
【０００８】
針をシリンジに固定し、シリンジから取り外し、かつ針とシリンジとの連結部を特に好ましく密閉することは、以下によって達成され得る。すなわち、安全手段が、軸方向での操作によって移動可能な軸方向調節部材を備え、その結果軸方向調節部材は、連結用凹部に挿入される挿入部に対して軸方向の圧力をかけることができる。
【０００９】
針とシリンジとの連結部の有利な密閉は、以下によってさらに高められ得る。すなわち、安全手段は応力形状を備えており、当該応力形状は注射器が組み立てられた状態で、針に配設された応力対応形状と係合する。
【００１０】
第１テーパ部であって、当該テーパ部を支える形状の開放された長手方向端に向かって先細になっており、かつ注射器が組み立てられた状態で少なくとも部分的に、そのつど別の形状の受容凹部に挿入されている第１テーパ部を、応力形状と応力対応形状とから成る形状が備えており、かつ第１拡張部であって、当該拡張部を支える形状の開放された長手方向端に向かって拡張する第１拡張部を、受容凹部が備えており、その際、注射器が組み立てられた状態でテーパ部が、少なくともシリンジ長手軸を中心とした周線に沿って線状に、特に好ましくは周接触面に沿って広範囲に拡張部に当接するよう、好適には軸方向の第１テーパ部のテーパ延在と、軸方向の第１拡張部の拡張延在とが、実質的に互いに適合する場合、応力形状と応力対応形状とは、特に容易かつ確実に、互いに密閉係合することができる。
【００１１】
このとき、第１テーパ部が円錐部を備え、好適には受容凹部が円錐形の凹部を備えていることが、構造上考えられていてよい。特に好ましくは、円錐部と円錐形の凹部とは、同一の円錐角を備えている。
【００１２】
注射器を製造するために必要な部材を減らすために、応力形状が一体的に軸方向調節部材に形成されていることが考えられていてよい。
【００１３】
他方で、応力形状が、軸方向調節部材とは別に設けられた、軸方向調節部材によって軸方向に移動可能な応力部材に形成されている場合、注射器部材の互いとの組立ては、部材にとって特に注意深く行われ得る。すなわちこの場合、相対運動が意図的に問題とならない位置でもたらされ、問題となる位置での注射器部材間の相対運動を減らすことができ、それによって部材損傷の危険が減少する。
【００１４】
シリンジに対して相対的に、針を同時に確実かつ正確に位置合わせする際に、シリンジと外界とに対して針を特に良好に密閉することは、本発明の第１のさらなる形態に従えば、針とともに動くための、応力形状を備える部材が形成されていることによって、確実なものとなり得る。本発明の別の第２のさらなる形態に従えば、少なくとも、シリンジに対して相対的に、針を正確に位置合わせすることは、針とともに動くための軸方向調節部材が形成されていることによって、確実なものとなり得る。
【００１５】
針と「ともに動くための」部材の形成は、部材を針と一体的に形成することによってか、あるいは部材を針と固定接続することによって達成され得る。
【００１６】
有利かつできるだけ厳密に、軸方向調節部材を位置合わせするために、当該部材が、軸方向に動くためのガイド部材に接してガイドされていることが考えられていてよい。
【００１７】
構造上の見地から、ガイド部材は、シリンジ、特に針近傍のシリンジの長手方向端に設けられたスリーブを備えていてよい。
【００１８】
ガイド部材をシリンジと特にしっかりと接続するために、ガイド部材特にスリーブは、加圧しておよび／あるいは貼着してシリンジと接合されていることが考えられていてよい。
【００１９】
ガイド部材に対して相対的に、軸方向調節部材を特に容易、確実かつ同時に精確に位置合わせすることは、ガイド部材特にスリーブがねじ、好適には雌ねじを備え、かつ軸方向調節部材が、ねじと係合しているあるいは係合可能なカウンターねじ、好適には雄ねじを有するボルトを備えることによって、達成され得る。その際、位置合わせの精確さは、ねじとカウンターねじとの選択されたピッチに依存する。
【００２０】
好適にはガイド部材のねじは雌ねじであり、その結果軸方向調節部材を当該ガイド部材にねじ込むことができる。これによって注射器の半径方向の寸法が大きくなりすぎるのを防ぐ。
【００２１】
それぞれの使用の場合にそのつど適合可能であるゆえに有利な、注射器のモジュラー構造のために、連結形状が別個の連結部材に備わっていることが、考えられていてよい。
【００２２】
軸方向における、連結部材の規定された位置合わせのためと、かつそれによってできるだけ良好な連結作用と密閉作用とを確実にするために、連結部材は、シリンジの対応当接面に当接するための突起部、好適には半径方向突起部を備えていることが考えられてよい。
【００２３】
連結部材によってもたらされ得る密閉作用は、当該連結部材が弾力性のある材質で作られていることによって、さらに高められ得る。この場合挿入部は、連結部材に設けられている限りにおいて、連結用凹部への挿入を容易にするために、場合によっては挿入勾配を有して、円筒状部を備えており、挿入部の円筒状部が連結用凹部に挿入され、上述の応力形状による応力によって、連結用凹部の、配設された内壁に密着して当接する。
【００２４】
同様に、胴部分が膨らんだ外観を有する挿入部を形成することが考えられてよく、その結果挿入部を連結用凹部に挿入する際に、弾力性のある材料を変形させることで、すでに半径方向の予応力がもたらされ得る。しかしながら、シリンジと連結部材との連結箇所での間隙は、避けられるべきである。なぜなら、注射器に複数回次々に連続して充填する際に、その流体受容体積に受容された流体を汚染しかねない材料が、その間隙に集まりかねないからである。
【００２５】
連結部材を硬い材質から作り、シリンジの同様に硬い対応連結形状に、硬い連結部材を密着して当接させることが、同様に考えられてよい。
【００２６】
挿入部と連結用凹部とが硬い材料から作られている場合でも、形成物の少なくとも１つがポリテトラフルオロエチレンのような弾力性と可塑性のある材質から作られている場合でも、連結形状と対応連結形状との間の連結箇所の良好な密閉効果は、次の方法によって達成され得る。すなわち、第２テーパ部であって、当該テーパ部を支える形状の開放された長手方向端に向かって先細になっており、かつ注射器が組み立てられた状態で少なくとも部分的に、そのつど別の形状の連結用凹部に挿入されている第２テーパ部を挿入部が備えており、かつ第２拡張部であって、当該拡張部を支える形状の開放された長手方向端に向かって拡張する第２拡張部を連結用凹部が備えており、その際、注射器が組み立てられた状態で第２テーパ部が、少なくともシリンジ長手軸を中心とした周線に沿って線状に、特に好ましくは周接触面に沿って広範囲に第２拡張部に当接するよう、好適には軸方向の第２テーパ部のテーパ延在と、軸方向の第２拡張部の拡張延在とが、実質的に互いに適合する。このとき、すでにわずかなテーパ角もしくは拡張角によって、望まれる連結結果と密閉結果とがもたらされ得る。
【００２７】
製造技術上の観点から特に容易でそれゆえ好ましくは、挿入部が円錐部を備え、好適には連結用凹部が円錐形の凹部を備えている。
【００２８】
挿入部が、注射器が組み立てられた状態でシリンジの対応面に密着して当接する、半径方向の延伸コンポーネントを有する端部面を備えることによって、連結箇所の密閉効果はさらに高められ得る。しかしながらこれはとりわけ、連結に関与する形状の少なくとも１つが、弾力性のある材料から作られている場合に、望ましからざる二重嵌合を回避するために得策である。
【００２９】
まさに、ここで記述された注射器をラボで使用する際に、特にクロマトグラフィーにおいて、注射器に吸い上げられた流体の汚染を避けることが、非常に重要である。そのために、注射器の使用中に、注射器によって採取されるべきおよび／あるいは注入されるべき流体と接触する、注射器の面の少なくとも一部、好適にはすべての面にコーティングが施されていることが考えられてよい。当該コーティングは、特に滑らかで、多くの流体に対して不活性かつ同時に透明な表面を提供する、水晶あるいはガラスのコーティングであってよい。コーティングは、いわゆるナノテクノロジーによって、針の内側および／あるいは外側に塗布されていてよい。コーティングは、それ自体知られた方法で、ゾル・ゲル法によって、注射器の問題となる壁面もしくは壁面部に塗布されてよい。
【００３０】
本発明は以下に、添付された図に基づいて詳述される。図に示されるのは以下である。
【図面の簡単な説明】
【００３１】
【図１】本発明に係る注射器の、第１実施形態の部分断面図である。
【図２】図１の第１実施形態の、針とシリンジとの連結部の長手方向詳細断面図である。
【図３】針とシリンジとの連結部の、第２実施形態である。
【図４】針とシリンジとの連結部の、第３実施形態である。
【発明を実施するための形態】
【００３２】
図１には、全般的に１０が付いている、本発明に係る注射器の第１実施形態が説明されている。注射器１０は、シリンジ長手軸Ｌの方向に延在する内部凹部１４を有するシリンジ１２を備えており、当該内部凹部１４においてピストン１６がシリンジ長手軸Ｌの方向すなわち軸方向に移動可能に受容されている。
【００３３】
ピストン１６は、ピストン１６と固定して接合されているピストン棒１８によって移動可能であり、当該ピストン棒１８は操作端部２０を介して引く操作と押す操作とがなされ得る。
【００３４】
針近傍の、シリンジ１２の長手方向端１２ａを向いているピストン面１６ａは、内部凹部１４を半径方向に画定する周内壁の部分１４ａとともに、流体受容体積２２を限定するのに利用される。
【００３５】
図１に示されている注射器１０はさらに、針カニューレ２６を有する針２４を備えている。針２４は、組み立てられた状態におけるシリンジ近傍の長手方向端２４ａに連結形状２８を備え、当該連結形状２８は、針２４をシリンジ１２と連結させるために、シリンジ１２の、針近傍の長手方向端１２ａで対応連結形状３０と係合する。
【００３６】
針２４とシリンジ１２との連結の詳細な形態は、図２に表されている。図２は、図１において円で囲まれ「ＩＩ」と付けられた詳細を拡大して示している。
【００３７】
図２で示されている第１実施例においては、連結形状２８は、対応連結形状３０の連結用凹部３４に挿入されている、ほぼ円筒状の挿入部３２を備えている。連結用凹部３４への挿入部３２の挿入を容易にするために、挿入部３２は、連結用凹部３４に挿入される長手方向端に、挿入勾配もしくは周りを走る挿入面取り面を備える。
【００３８】
挿入部３２は、弾力性のあるプラスチック、本例ではポリテトラフルオロエチレンから作られる連結部材３６の、一体的な構成部材である。
【００３９】
当該部材３６は、挿入部３２の反対側にある長手方向端に、クランプコーンの形で応力対応形状３８を備えている。
【００４０】
応力対応形状３８と挿入部３２との間で軸方向に、連結部材３６に接して、円周方向に周りを走る半径方向突起部４０が形成されており、当該半径方向突起部４０は、注射器１０が組み立てられた状態で、シリンジ１２の対応当接面４２に当接する。半径方向突起部４０が対応当接面４２に当接すると、連結部材３６の正しい位置が確定される。
【００４１】
中央を貫通する、連結部材３６の凹部４４には、針カニューレ２６が挿入されている。
【００４２】
原則的に針カニューレ２６は、接着あるいは同様のものによって連結部材３６と接合されていてよい。好ましくは、流体受容室２２に採取された流体の、接着剤の構成要素による望ましからざる汚染を回避するために、針カニューレ２６は、単に力接続的もしくは摩擦接続的に連結部材３６に保持されている。
【００４３】
シリンジ１２の長手方向端１２ａの半径方向ショルダ部に、スリーブ状のガイド部材４６が、圧接と貼着とによってシリンジ１２と接合されている。
【００４４】
ガイド部材４６は雌ねじ４８を備え、当該雌ねじに、雄ねじ５２を有する締め付けボルト５０の形の軸方向調節部材が、シリンジ長手軸Ｌに沿って軸方向に移動可能に螺入されている。
【００４５】
中央凹部５４に針カニューレ２６が貫入されており、このとき中央凹部５４の直径は針カニューレ２６の外径よりも大きい。
【００４６】
締め付けボルト５０の鉢形の凹部５６には、応力部材５８が受容されており、当該応力部材は共に動くために、貼着、溶接あるいは何か他の方法で針カニューレ２６と接合されている。
【００４７】
応力部材５８は、円錐形の受容凹部６０の形で応力形状を備え、当該受容凹部に、連結部材３６の円錐形の応力対応形状３８が軸方向に突出している。
【００４８】
締め付けボルト５０の、シリンジから離れた端面にある、工具はめ込み凹部６２にはめ込まれた工具を用いて、締め付けボルト５０をシリンジ１２に向かって回すことにより、弾力性のある連結部材３６は、意図的に弾力性を持って変形されることができ、その結果連結部材３６は間隙をつくらずに連結部材１２に密着して当接する。
【００４９】
図２で示された第１実施例においては、連結用凹部３４は、段差なく内部凹部１４に移行する。
【００５０】
図３では、別の第２実施例が表されている。図２と同じ部材は同じ符号が付されているが、数字が１００だけ大きくなっている。
【００５１】
図３の実施形態は、記載が明確に指摘される図１と図２の実施形態と異なっている限りにおいてのみ、以下に記述される。
【００５２】
図３に表されている第２実施形態は、極めてわずかな容積の注射器、すなわち内部凹部１１４が非常に小さな直径である注射器に適している。
【００５３】
連結用凹部１３４が、シリンジ１１２の内部凹部１１４より大きな直径を有していることが分かる。
【００５４】
それゆえ連結用凹部１３４は、半径方向の段差を形成して内部凹部１１４に移行する。そのため、締め付けボルト１５０と応力部材１５８とを用いて、連結部材１３６に充分変形圧力をかけた場合、挿入部１３２の端面側の端部面１６４は、シリンジ１１２の対応面１６６に密着して当接することができる。
【００５５】
図４においては、針とシリンジとの連結部を有する本発明に係る注射器の、第３実施形態が表されている。
【００５６】
図１から図３の実施形態と同じ部材は、図４に記載の第３実施形態において同じ符号が付されているが、数字が２００もしくは１００大きくなっている。第３実施形態は、記載が他の点では明確に指摘されている、最初の２つの実施形態と異なっている限りにおいてのみ、記述される。
【００５７】
図４で示されている実施形態では、挿入部２３２がシリンジ２１２の対応連結形状２３０に設けられており、一方で連結用凹部２３４が針２２４の連結形状２２８に形成されている。
【００５８】
連結部材２３６の半径方向突起部２４０は、これまでの実施形態とは逆に、連結部材２３６の、シリンジから離れた長手方向端に、半径方向内側に延伸している。
【００５９】
同様にこれまでの実施形態とは逆に、応力部材２５８は、スリーブ状のガイド部材２４６で軸方向に支持されている。
【００６０】
締め付けボルト２５０は、共に回転するために、針カニューレ２２６と接合されている。
【００６１】
連結部材２３６の応力対応形状２３８は、シリンジ２１２の挿入部２３２を、半径方向外側で半径方向に取り囲んでおり、応力部材２５８の円錐形の受容凹部２６０に当接する。
【符号の説明】
【００６２】
１０，１１０，２１０  注射器
１２，１１２，２１２  シリンジ
１２ａ，１１２ａ，２１２ａ  長手方向端
１４，１１４，２１４  内部凹部
１４ａ  周内壁の部分
１６  ピストン
１６ａ  ピストン面
１８  ピストン棒
２０  操作端部
２２，１２２，２２２  流体受容体積
２４，１２４，２２４  針
２４ａ，１２４ａ，２２４ａ  長手方向端
２６，１２６，２２６  針カニューレ
２８，１２８，２２８  連結形状
３０，１３０，２３０  対応連結形状
３２，１３２，２３２  挿入部
３４，１３４，２３４  連結用凹部
３６，１３６，２３６  連結部材
３８，１３８，２３８  応力対応形状
４０，１４０，２４０  半径方向突起部
４２，１４２，２４２  対応当接面
４４  凹部
４６，１４６，２４６  ガイド部材
４８，１４８，２４８  雌ねじ
５０，１５０，２５０  締め付けボルト
５２，１５２，２５２  雄ねじ
５４  中央凹部
５６  凹部
５８，１５８，２５８  応力部材
６０，１６０，２６０  応力形状
６２  工具はめ込み凹部
１６４  端部面
１６６  対応面
Ｌ  シリンジ長手軸
【図１】
2010539499.tif 000003
【図２】
2010539499.tif 000004
【図３】
2010539499.tif 000005
【図４】
2010539499.tif 000006
【国際調査報告】
2010539499.tif 000007
2010539499.tif 000008
2010539499.tif 000009
2010539499.tif 000010
2010539499.tif 000011
2010539499.tif 000012
2010539499.tif 000013
2010539499.tif 000014